(57)【要約】【課題】  相手と連絡をとりたい場合、相手に着信があることを確実に気づかせること。【解決手段】  音声メッセージの送付を行う自端末１００において、音声メッセージ作成部１０１を備え、作成した音声メッセージを相手端末１１０に登録する。音声メッセージは、メッセージを通知する時刻、通知するメッセージを持ち、通知時刻に相手端末ユーザの都合の良い時刻を登録する。そして、相手端末１１０のタイマー登録部１１２において、通知する時刻までの着信通知待ちをすることにより、相手端末ユーザの都合の良い時間に確実に音声メッセージを通知することが可能となる。【選択図】  図１
2006295752.tif 000002
【特許請求の範囲】
【請求項１】
音声メッセージ作成機能をもつ携帯端末において、
音声メッセージを相手に伝える時刻（通知時刻）を付加した音声メッセージを作成する音声メッセージ作成手段と、
前記作成された音声メッセージを相手に送信する送信手段と、
音声メッセージを受信する受信手段と、
前記受信された音声メッセージに付加された通知時刻が現在時刻に達したか否かを判定するタイマー登録手段と、
前記タイマー登録手段において、現在時刻が通知時刻に達した場合、前記受信された音声メッセージの着信を通知する通知手段を備えたことを特徴とする携帯端末。
【請求項２】
音声メッセージ作成機能をもつ携帯端末において、
音声メッセージを相手に伝える時刻（通知時刻）を付加した音声メッセージを作成する音声メッセージ作成手段と、
前記作成された音声メッセージに付加された通知時刻が現在時刻に達したか否かを判定するタイマー登録手段と、
前記タイマー登録手段において、現在時刻が通知時刻に達した場合、前記作成された音声メッセージを相手に送信する送信手段と、
音声メッセージを受信する受信手段と、
前記受信された音声メッセージの着信を通知する通知手段を備えたことを特徴とする携帯端末。
【請求項３】
音声メッセージ作成機能をもつ携帯端末と、音声メッセージを一時的に記憶するサーバから構成される通信システムにおいて、
前記携帯端末は、
音声メッセージを相手に伝える時刻（通知時刻）を付加した音声メッセージを作成する音声メッセージ作成手段と、
前記作成された音声メッセージをサーバに送信する送信手段と、
音声メッセージを受信する受信手段と、
前記受信された音声メッセージの着信を通知する通知手段を備え、
前記サーバは、
音声メッセージを受信する受信手段と、
前記受信された音声メッセージに付加された通知時刻が現在時刻に達したか否かを判定するタイマー登録手段と、
前記タイマー登録手段において、現在時刻が通知時刻に達した場合、前記受信された音声メッセージを相手に送信する送信手段を備えたことを特徴とする通信システム。
【請求項４】
音声メッセージ作成機能をもつ音声メッセージプログラムにおいて、
音声メッセージを相手に伝える時刻（通知時刻）を付加した音声メッセージを作成する音声メッセージ作成ステップと、
前記作成された音声メッセージを相手に送信する送信ステップと、
音声メッセージを受信する受信ステップと、
前記受信された音声メッセージに付加された通知時刻が現在時刻に達したか否かを判定するタイマー登録ステップと、
前記タイマー登録ステップにおいて、現在時刻が通知時刻に達した場合、前記受信された音声メッセージの着信を通知する通知ステップを備えたことを特徴とする音声メッセージプログラム。
【請求項５】
音声メッセージ作成機能をもつ音声メッセージプログラムにおいて、
音声メッセージを相手に伝える時刻（通知時刻）を付加した音声メッセージを作成する音声メッセージ作成ステップと、
前記作成された音声メッセージに付加された通知時刻が現在時刻に達したか否かを判定するタイマー登録ステップと、
前記タイマー登録手段において、現在時刻が通知時刻に達した場合、前記作成された音声メッセージを相手に送信する送信ステップと、
音声メッセージを受信する受信ステップと、
前記受信された音声メッセージの着信を通知する通知ステップを備えたことを特徴とする音声メッセージプログラム。
【発明の詳細な説明】
【技術分野】
【０００１】
本発明は、電話、サーバのタイマー機能を利用した音声メッセージ通知方法、およびその方法に利用される端末に関するものである。
【背景技術】
【０００２】
従来、指定時刻にメッセージの通知を行うシステムとしては、着信があり電話を取ることができない場合に音声メッセージを端末に保存し、後でその音声メッセージを聞くという方法が知られている。
相手が会議中でありかつ相手の会議が終わる時間に自分に用事がある場合、メールを指定時刻に配送するか、相手の会議中に相手端末に音声メッセージを録音する通知方法が上記方法に該当する。
また、ユーザが自端末のタイマーを用いて、指定時刻に自端末に記憶させた音声メッセージを再生するシステムもある(例えば、特許文献１参照)。
前記特許文献１において、音声メッセージは自端末の録音装置で録音を行ない、指定された通知時刻に再生されていた。また、タイマーは、自端末内にあるタイマーが使用されている。
【特許文献１】特開２００４−１７８５３６号公報
【発明の開示】
【発明が解決しようとする課題】
【０００３】
しかしながら、前記通知方法では相手が会議中であると会議中に着信通知を行い、会議を中断させるという課題を有していた。
【０００４】
本発明は、前記従来の課題を解決するもので、相手端末に対して指定時刻に音声メッセージを通知することを目的とする。また、相手の予定がわかっている場合、相手端末に音声メッセージを送付し、指定時刻になるまで着信通知を行わないことを目的とする。
【課題を解決するための手段】
【０００５】
前記従来の課題を解決するために、本発明の携帯端末は、音声メッセージ作成機能をもつ携帯端末において、音声メッセージを相手に伝える時刻（通知時刻）を付加した音声メッセージを作成する音声メッセージ作成手段と、前記作成された音声メッセージを相手に送信する送信手段と、音声メッセージを受信する受信手段と、前記受信された音声メッセージに付加された通知時刻が現在時刻に達したか否かを判定するタイマー登録手段と、前記タイマー登録手段において、現在時刻が通知時刻に達した場合、前記受信された音声メッセージの着信を通知する通知手段を備えたことを特徴とする。
【０００６】
また、本発明の携帯端末は、音声メッセージ作成機能をもつ携帯端末において、音声メッセージを相手に伝える時刻（通知時刻）を付加した音声メッセージを作成する音声メッセージ作成手段と、前記作成された音声メッセージに付加された通知時刻が現在時刻に達したか否かを判定するタイマー登録手段と、前記タイマー登録手段において、現在時刻が通知時刻に達した場合、前記作成された音声メッセージを相手に送信する送信手段と、音声メッセージを受信する受信手段と、前記受信された音声メッセージの着信を通知する通知手段を備えたことを特徴とする。
【０００７】
また、本発明の通信システムは、音声メッセージ作成機能をもつ携帯端末と、音声メッセージを一時的に記憶するサーバから構成される通信システムにおいて、前記携帯端末は、音声メッセージを相手に伝える時刻（通知時刻）を付加した音声メッセージを作成する音声メッセージ作成手段と、前記作成された音声メッセージをサーバに送信する送信手段と、音声メッセージを受信する受信手段と、前記受信された音声メッセージの着信を通知する通知手段を備え、前記サーバは、音声メッセージを受信する受信手段と、前記受信された音声メッセージに付加された通知時刻が現在時刻に達したか否かを判定するタイマー登録手段と、前記タイマー登録手段において、現在時刻が通知時刻に達した場合、前記受信された音声メッセージを相手に送信する送信手段を備えたことを特徴とする。
【０００８】
また、本発明の音声メッセージプログラムは、音声メッセージ作成機能をもつ音声メッセージプログラムにおいて、音声メッセージを相手に伝える時刻（通知時刻）を付加した音声メッセージを作成する音声メッセージ作成ステップと、前記作成された音声メッセージを相手に送信する送信ステップと、音声メッセージを受信する受信ステップと、前記受信された音声メッセージに付加された通知時刻が現在時刻に達したか否かを判定するタイマー登録ステップと、前記タイマー登録ステップにおいて、現在時刻が通知時刻に達した場合、前記受信された音声メッセージの着信を通知する通知ステップを備えたことを特徴とする。
【０００９】
また、本発明の音声メッセージプログラムは、音声メッセージ作成機能をもつ音声メッセージプログラムにおいて、音声メッセージを相手に伝える時刻（通知時刻）を付加した音声メッセージを作成する音声メッセージ作成ステップと、前記作成された音声メッセージに付加された通知時刻が現在時刻に達したか否かを判定するタイマー登録ステップと、前記タイマー登録手段において、現在時刻が通知時刻に達した場合、前記作成された音声メッセージを相手に送信する送信ステップと、音声メッセージを受信する受信ステップと、前記受信された音声メッセージの着信を通知する通知ステップを備えたことを特徴とする。
【発明の効果】
【００１０】
本発明によれば、ユーザは相手が電話を取ることができる時刻（会議終了時刻）に電話できない場合、相手が電話を取ることができない時間（会議中）に着信通知を行うことを回避でき、相手が電話を取ることができる時刻に音声メッセージを相手に通知することが可能となる。
【発明を実施するための最良の形態】
【００１１】
以下本発明の実施の形態について、図面を参照しながら説明する。
（実施の形態１）
図２は、本発明の実施の形態１におけるタイマー機能を用いた音声メッセージ通知システムの構成を示すブロック図である。
この音声メッセージ通知システムは、音声メッセージの作成機能が付加された自端末２００、および音声メッセージに自端末２００ユーザが音声メッセージの通知を行うよう設定した時刻である通知時刻の指定があるか否かの判定を行い、指定時刻に音声メッセージを通知する機能が付加された相手端末２１０から主に構成される。
音声メッセージの作成を行う自端末２００は、通信網２２０を用いて指定時刻に音声メッセージの通知を行う相手端末２１０と通信を行う。
【００１２】
自端末２００は、図２に示すように、音声メッセージの作成を行う音声メッセージ作成部２０１、音声メッセージの保存を行う音声メッセージ記憶部２０２、相手端末への送信データを生成する送信データ生成部２０３、音声メッセージ作成の指示およびデータ送信の指示を行う制御部２０４、相手端末へ送信データの送信を行う送信部２０５から構成されている。
制御部２０４は、ユーザから音声メッセージ作成の指示があると、音声メッセージ作成部２０１に対して音声メッセージの作成を指示する。音声メッセージ作成部２０１は、音声メッセージ登録画面を表示して、ユーザに通知時刻、メッセージを入力してもらい、それらの情報を音声メッセージ記憶部２０２へ保存する。音声メッセージの保存が終わると、送信データ生成部２０３は、メッセージ、通知時刻、送信先、送信日時、メッセージサイズをまとめ、送信データの生成を行う。そして、作成された送信データは制御部２０４により送信部２０５に渡される。
【００１３】
また、相手端末２１０は、自端末２００からの送信データを受信する受信部２１１、音声メッセージに通知時刻の設定があるか否かの判定を行う制御部２１２、着信の通知を行う着信表示部２１３、音声メッセージの保存を行う音声メッセージ記憶部２１４、通知時刻までの着信通知待ちを行うタイマー登録部２１５から構成されている。
制御部２１２は、受信部２１１から音声メッセージを受け取ると、音声メッセージ記憶部２１４に音声メッセージを保存する。また、音声メッセージに通知時刻の指定があれば通知時刻をタイマー登録部２１５へ登録する。タイマー登録部２１５は、制御部２１２から受け取った通知時刻を通知時刻とデータの識別を行うデータ番号を関連付けて保存するタイマー登録データテーブル８２０に登録し、通知時刻になるまでメッセージの通知待ちを行う。そして、現在の時刻が通知時刻になると、着信表示部２１３は音声メッセージ記憶部２１４からメッセージを受け取り、音声メッセージの着信があることをユーザに通知する。
【００１４】
次に、本発明の実施の形態１であるタイマー機能を用いた音声メッセージ通知システムにおける音声メッセージの送信、受信手順について説明する。
送信手順は、図２に示すように自端末ユーザから音声メッセージの作成要求があると、制御部２０４は音声メッセージ作成部２０１に音声メッセージ作成要求を行う。音声メッセージ作成部２０１は、要求があると図５に示す音声メッセージ登録画面５０１を表示しユーザにメッセージ、通知時刻の入力を依頼する。入力されたメッセージおよび通知時刻は、音声メッセージ記憶部２０２で保存される。そして、送信データ生成部２０３で送信先、送信日時、音声メッセージ、メッセージサイズをまとめ相手端末２１０へ送信を行う。
受信手順は、図３に示すように相手端末側の受信部２１１に通信網２２０からのアクセスがあると音声メッセージの保存を行い、制御部２１２が音声メッセージに通知時刻の設定があるか否かの判定を行う。そして、音声メッセージに通知時刻の設定があれば、タイマー登録部２１５のタイマー登録データテーブル８２０に通知時刻と音声メッセージ記憶部２１４に記憶したデータ番号の登録を行う。
【００１５】
次に、タイマー登録データテーブル８２０に登録している通知時刻の判定処理手順について説明する。
図４に示すように、タイマー登録データテーブル８２０を参照し、現在の時刻が通知時刻か否かの判定を行う。現在の時刻が通知時刻の場合、タイマー登録データテーブル８２０に登録されている、データ番号８２１を用いて受信側メッセージ８１０のデータ番号８１１と一致するデータを検索する。検索が終了しデータを特定すると、タイマー登録データテーブル８２０に登録されている該当データを削除し着信通知を行う。
【００１６】
次に、本発明の実施の形態１であるタイマー機能を用いた音声メッセージ通知システムにおける音声メッセージ通知の手順について説明する。
図１は、音声メッセージ作成、タイマー登録、着信通知までの処理を示すシーケンス図である。
説明は、図１を用いて、相手端末１１０ユーザが会議で電話に出ることができる時刻が限られており、かつ自端末１００ユーザも相手端末１１０ユーザが電話に出ることができる時刻に会議があり、電話を掛けることができないという想定で行う。
図１のシーケンス図は、ユーザが音声メッセージの作成を開始する場面からの動作を示している。自端末１００ユーザは、相手端末１１０ユーザに伝言があるが、相手端末１１０ユーザが１０：００まで会議のため電話を掛けることができない。自端末１００ユーザは、９：３０から１１：００まで会議のため、相手端末１１０ユーザが電話することができる状態になっても電話することができない。そこで、音声メッセージを作成し、指定時刻に相手に通知を行う本システムを利用する。
【００１７】
自端末１００ユーザは、会議が始まる前に音声メッセージ作成を行う。音声メッセージ作成は、図５を用いて説明を行う。自端末５００が有する表示画面に音声メッセージの登録を行う音声メッセージ登録画面５０１が表示され、画面の操作を行うユーザインタフェース５０２を用いて通知時刻設定５０３、メッセージ録音を行う。メッセージ録音表示５０４は、録音可能時間全体を表しており、録音バー５０５が現在の録音時間を表示している。録音ボタン５０６を押すと、音声メッセージの録音を開始し、完了ボタン５０９を押すと録音が完了し、音声メッセージの登録が完了する。一時停止ボタン５０７を押すと、録音が一時中断し録音ボタン５０６を押すと、録音が再開される。中止ボタン５０８を押すと、録音中であれば録音を中断し録音メッセージの削除を行って音声メッセージ登録を終了する。
音声メッセージ作成が終わると、自端末１００ユーザは、９：００に送信部１０２から相手端末１１０に発信を行う。相手端末１１０に送信するデータ構造は図８（ａ）に示す構造となり、送信データ８００は、１件の送信データを示す。８０１は自端末の電話番号を、８０２は相手端末の電話番号を、８０３は相手端末で着信通知を行う通知時刻を、８０４は通知するメッセージを、８０５はメッセージのサイズを、８０６はメッセージが受信されなかった場合に再通知を行う間隔を、８０７は再通知を行う回数を示す。
【００１８】
自端末１００より送信されたデータは、相手端末１１０の受信部１１１により相手端末１１０に受信される。相手端末１１０の受信部１１１は、相手端末１１０ユーザが会議中である９：００に自端末１００の送信部１０２からの送信データの受信を行うが、データを受信した際は、着信通知は行わず図６（ａ）に示す表示画面６００のように、画面にも変化は起こらない。受信したデータは、図８（ｂ）の構造で相手端末内に保存され、受信側メッセージ８１０は、１件の受信側メッセージを示す。８１１はデータを識別する番号であるデータ番号８１１を、８１２は送信データが着信した受信時刻を、８１３は自端末の電話番号を、８１４は相手端末で着信通知を行う通知時刻を、８１５は通知するメッセージを、８１６はメッセージのサイズを、８１７はメッセージが受信されなかった場合に再通知を行う間隔を、８１８は再通知を行う回数を示す。
受信した音声メッセージに通知時刻の指定があるとタイマー登録部１１２のタイマー登録データテーブル８２０へ登録を行い、通知時刻１０：００までの着信通知待ちを行う。タイマー登録部１１２でのタイマー登録データテーブル８２０への登録は図８（ｃ）の構造で行われ、登録データ８２０は複数の通知時刻とデータ番号の組である。８２１は受信側メッセージ８１０に保存されているデータ番号８１１を、８２２は通知時刻８１４を示す。
【００１９】
そして、自端末１００ユーザは会議中だが、通知時刻１０：００が来るとタイマー登録部１１２は着信表示部１１３に対して図６（ｂ）に示すように着信通知を行い、相手端末１１０ユーザに自端末１００ユーザの音声メッセージを通知する。相手端末６１０の表示画面６１１は図６（ｂ）に示すように、表示画面６１１内に音声メッセージの着信を知らせる着信通知メッセージ６１２が表示される。なお、着信通知を行い、音声メッセージを見てもらえなかった場合は、図８（ａ）の送信データ構成図８００の通知間隔８０６、通知回数８０７を用いて着信を再通知することも可能である。
なお、着信通知されない前に、音声メッセージ一覧を表示した場合、図７に示す一覧画面が表示される。一覧は、音声メッセージを受信した相手端末７００が有する表示画面７０１に表示され、着信通知時刻に達していない音声メッセージの閲覧も可能である。ユーザは、ユーザインタフェース７０２を用いて操作を行い、画面に表示されている音声メッセージの選択を行う。音声メッセージ受信一覧７０３に通知時刻指定があり、通知時刻に達していない音声メッセージ７０４は、通知時刻の前に黒丸印●７０５が表示してあり通知時刻の表示が行われている。再生ボタン７０６を押すと、選択した音声メッセージの通知が行われ、中止ボタン７０７を押すと通知中の音声メッセージを途中で中断する。
【００２０】
（実施の形態２）
図１０は、本発明の実施の形態２におけるタイマー機能を用いた音声メッセージ通知システムの構成を示すブロック図である。
この音声メッセージ通知システムは、音声メッセージの作成機能および音声メッセージに通知時刻の指定があるか否かの判定を行い通知時刻に音声メッセージを通知する機能が付加された自端末１０００、および相手端末１０１０から主に構成される。
音声メッセージの作成、指定時刻に相手端末１０１０に発信を行う自端末１０００は、通信網１０２０を用いて相手端末１０１０と通信を行う。
【００２１】
自端末１０００は、図１０に示すように、音声メッセージの作成を行う音声メッセージ作成部１００１、音声メッセージの保存を行う音声メッセージ記憶部１００２、相手端末への送信データを生成する送信データ生成部１００３、音声メッセージ作成の指示、タイマー登録の判定、データ送信の指示を行う制御部１００４、通知時刻までの発信通知待ちを行うタイマー登録部１００５、相手端末へ送信データの送信を行う送信部１００６から構成されている。
制御部１００４は、ユーザから音声メッセージ作成の指示があると、音声メッセージ作成部１００１に対して音声メッセージの作成を指示する。音声メッセージ作成部１００１は、音声メッセージ登録画面を表示して、ユーザに通知時刻、メッセージを入力してもらい、それらの情報を音声メッセージ記憶部１００２へ保存する。音声メッセージの保存が終わると、送信データ生成部１００３は、メッセージ、通知時刻、送信先、送信日時、メッセージサイズをまとめ、送信データの生成を行う。そして、作成された送信データは制御部１００４により通知時刻指定があれば音声メッセージ記憶部１００２、タイマー登録部１００５へ受け渡される。タイマー登録部１００５は、制御部１００４から受け取った通知時刻とデータ番号をタイマー登録データテーブル８２０に保存し通知時刻待ちを行い、通知時刻になると音声メッセージ記憶部１００２から送信データを検索し、送信部１００６へ受け渡す。
【００２２】
また、相手端末１０１０は、自端末１０００からの送信データを受信する受信部１０１１、受信した音声メッセージの保存および着信通知を指示する制御部１０１２、着信の通知を行う着信表示部１０１３、受信した音声メッセージの保存を行う音声メッセージ記憶部１０１４から構成されている。
制御部１０１２は、受信部１０１１から音声メッセージを受け取ると、音声メッセージ記憶部１０１４へメッセージの保存を行い、着信表示部１０１３に着信通知を行う。
【００２３】
次に、本発明の実施の形態２であるタイマー機能を用いた音声メッセージ通知システムにおける音声メッセージの送信、受信手順について説明する。
送信手順は、図１１に示すように自端末１０００ユーザから音声メッセージの作成要求があると、制御部１００４は音声メッセージ作成部１００１に音声メッセージ作成要求を行う。音声メッセージ作成部１００１は、要求があると図５に示す音声メッセージ登録画面５０１を表示しユーザにメッセージ、通知時刻の入力を依頼する。入力されたメッセージおよび通知時刻は、音声メッセージ記憶部１００２で保存される。そして、送信データ生成部１００３で送信先、送信日時、音声メッセージ、メッセージサイズをまとめ制御部１００４へ受け渡す。制御部１００４は、送信データに通知時刻の指定があるか否かの判定を行い、指定があれば、送信データを音声メッセージ記憶部１００２へ保存し、タイマー登録部１００５のタイマー登録データテーブル８２０へ通知時刻と音声メッセージ記憶部１００２に記憶したデータ番号の登録を行う。
次に、タイマー登録データテーブル８２０に登録している通知時刻の判定処理手順について説明する。
図４に示すように、タイマー登録データテーブル８２０を参照し、現在の時刻が通知時刻か否かの判定を行う。現在の時刻が通知時刻の場合、タイマー登録データテーブル８２０に登録されている、データ番号８２１を用いて自端末側メッセージ１３００のデータ番号１３０１と一致するデータを検索する。検索が終了しデータを特定すると、タイマー登録データテーブル８２０に登録されている該当データを削除し着信通知を行う。
受信手順は、図１０に示すように相手端末１０１０側の受信部１０１１に通信網１０２０からのアクセスがあると制御部１０１２が音声メッセージ記憶部１０１４にデータを保存し着信通知を行う。
【００２４】
次に、本発明の実施の形態２であるタイマー機能を用いた音声メッセージ通知システムにおける音声メッセージ通知の手順について説明する。
図９は、音声メッセージ作成、タイマー登録、着信通知までの処理を示すシーケンス図である。
説明は、図９を用いて、受信側が会議で電話に出ることができる時刻が限られており、かつ送信側も受信側が電話に出ることができる時刻に会議があり、電話を掛けることができないという想定で行う。
図９のシーケンス図は、ユーザが音声メッセージの作成を開始する場面からの動作を示している。自端末ユーザは、相手端末ユーザに伝言があるが、相手端末ユーザが１０：００まで会議のため電話を掛けることができない。自端末ユーザは、９：３０から１１：００まで会議のため、相手端末ユーザが電話をすることができる状態になっても電話することができない。そこで、音声メッセージを作成し、指定時刻に相手に通知を行う本システムを利用する。
【００２５】
自端末９００ユーザは、会議が始まる前に音声メッセージ作成を行う。音声メッセージ作成は、図５を用いて説明を行う。自端末５００が有する表示画面に音声メッセージの登録を行う音声メッセージ登録画面５０１が表示され、画面の操作を行うユーザインタフェース５０２を用いて通知時刻設定５０３、メッセージ録音を行う。メッセージ録音表示５０４は、録音可能時間全体を表しており、録音バー５０５が現在の録音時間を表示している。録音ボタン５０６を押すと、音声メッセージの録音を開始し、完了ボタン５０９を押すと録音が完了し、音声メッセージの登録が完了する。一時停止ボタン５０７を押すと、録音が一時中断し録音ボタン５０６を押すと、録音が再開される。中止ボタン５０８を押すと、録音中であれば録音を中断し録音メッセージの削除を行って音声メッセージ登録を終了する。
音声メッセージ作成が終わると、自端末９００は、９：００に作成したデータの保存と、タイマー登録部９０２へ通知時刻、データ番号の登録を行う。自端末側メッセージ１３００は、図１３の構造で自端末に保存され、自端末側メッセージ１３００は、１件の自端末側メッセージ１３００を示す。１３０１はデータを識別する番号であるデータ番号１３０１を、１３０２は自端末の電話番号を、１３０３は相手端末の電話番号を、１３０４は相手端末で着信通知を行う通知時刻を、１３０５は通知するメッセージを、１３０６はメッセージのサイズを示す。
【００２６】
また、タイマー登録部９０２は、通知時刻、データ番号を受け取ると、図８（ｃ）に示すタイマー登録データテーブル８２０へ登録を行う。タイマー登録データテーブル８２０への登録は図８（ｃ）の構造で行われ、登録データ８２０は複数の通知時刻８２２とデータ番号８２１の組で構成されている。その後、通知時刻の１０：００まで発信待ちを行う。
音声メッセージ通知時刻の１０：００になると発信を行い、送信部９０３を介して送信データを相手端末９１０へ送信する。相手端末９１０に送信するデータ構造は図８（ａ）に示す構造となり、送信データ８００は、１件の送信データ８００を示す。８０１は自端末の電話番号を、８０２は相手端末の電話番号を、８０３は相手端末で着信通知を行う通知時刻を、８０４は通知するメッセージを、８０５はメッセージのサイズを示す。また、送信前後の画面図は図１２（ａ）、（ｂ）に示すようになり、送信時刻になると送信通知メッセージ１２１０が表示される。
相手端末９１０に着信すると、音声メッセージ記憶部１０１４に送信データが保存され着信表示部９１２に音声メッセージの着信があることが通知される。
【００２７】
（実施の形態３）
図１５は、本発明の実施の形態３におけるタイマー機能を用いた音声メッセージ通知システムの構成を示すブロック図である。
この音声メッセージ通知システムは、音声メッセージの作成機能が付加され通知時刻の指定があるか否かの判定を行い送信を行う自端末１５００、指定時刻に音声メッセージを送信する機能が付加されたサーバ１５２０、および相手端末１５１０から主に構成される。
音声メッセージの作成を行う自端末１５００は、通信網１５３０を用いて指定時刻に音声メッセージの通知を行うサーバ１５２０を介し、相手端末１５１０と通信を行う。
自端末１５００は、図１５に示すように、音声メッセージの作成を行う音声メッセージ作成部１５０１、音声メッセージの保存を行う音声メッセージ記憶部１５０２、サーバ１５２０および相手端末１５１０への送信データを生成する送信データ生成部１５０３、音声メッセージ作成の指示およびデータ送信の指示を行う制御部１５０４、サーバ１５２０および相手端末１５１０へ送信データの送信を行う送信部１５０５から構成されている。
制御部１５０４は、ユーザから音声メッセージ作成の指示があると、音声メッセージ作成部１５０１に対して音声メッセージの作成を指示する。音声メッセージ作成部１５０１は、音声メッセージ登録画面を表示して、ユーザに通知時刻、メッセージを入力してもらい、それらの情報を音声メッセージ記憶部１５０２へ保存する。音声メッセージの保存が終わると、送信データ生成部１５０３は、メッセージ、通知時刻、送信先、送信日時、メッセージサイズをまとめ、送信データの生成を行う。そして、作成された送信データは制御部１５０４により通知時刻指定があればサーバ１５２０へ、なければ相手端末１５１０へ送信するよう送信部１５０５に送信データを受け渡す。
【００２８】
また、サーバ１５２０は、自端末１５００からのデータ受信および相手端末１５１０へのデータ送信を行う送受信部１５２１、タイマー登録およびデータの保存を行う制御部１５２２、通知時刻までの着信通知待ちを行うタイマー登録部１５２３、音声メッセージの保存を行う音声メッセージ記憶部１５２４から構成されている。
制御部１５２２は、送受信部１５２１から受信した音声メッセージが渡されると、通知時刻およびデータ番号をタイマー登録部１５２３へ、受信した音声メッセージを音声メッセージ記憶部１５２４へ受け渡す。タイマー登録部１５２３は、制御部１５２２から受け取った通知時刻とデータ番号をタイマー登録データテーブル８２０に保存し通知時刻待ちを行い、通知時刻になると音声メッセージ記憶部１５２４から相手端末１５１０への送信データの検索を行い、検索した音声メッセージを送受信部１５２１へ受け渡す。
【００２９】
また、相手端末１５１０は、サーバ１５２０からの送信データを受信する受信部１５１１、受信した音声メッセージの保存、着信通知を指示する制御部１５１２、着信の通知を行う着信表示部１５１３、受信した音声メッセージの保存を行う音声メッセージ記憶部１５１４から構成されている。
制御部１５１２は、受信部１５１１から音声メッセージを受け取ると、音声メッセージ記憶部１５１４へメッセージの保存を行い、着信表示部１５１３に着信通知を行う。
【００３０】
次に、本発明の実施の形態３であるタイマー機能を用いた音声メッセージ通知システムにおける音声メッセージの送信、通知時刻待ち、受信手順について説明する。
送信手順は、図１６に示すように自端末ユーザから音声メッセージの作成要求があると、制御部１５０４は音声メッセージ作成部１５０１に音声メッセージ作成要求を行う。音声メッセージ作成部１５０１は、要求があると図５に示す音声メッセージ登録画面５０１を表示しユーザにメッセージ、通知時刻の入力を依頼する。入力されたメッセージおよび通知時刻は、音声メッセージ記憶部１５０２で保存される。そして、送信データ生成部１５０３で送信先、送信日時、音声メッセージ、メッセージサイズをまとめる。制御部１５０４で、送信データに通知時刻の指定があるか否かの判定を行い、通知時刻の指定があればサーバ１５２０へ、なければ相手端末１５１０へ送信を行う。
通知時刻待ち手順は、図１５に示すようにサーバ１５２０の送受信部１５２１に自端末１５００からのアクセスがあると制御部１５２２は音声メッセージ記憶部１５２４へ受信した音声メッセージの保存を行い、タイマー登録部１５２３へ通知時刻およびデータ番号を渡す。タイマー登録部１５２３は、通知時刻、データ番号が渡されると、タイマー登録データテーブル８２０に通知時刻、データ番号を登録して、通知時刻まで通知待ちを行う。
次に、タイマー登録データテーブル８２０に登録している通知時刻の判定処理手順について説明する。
図４に示すように、タイマー登録データテーブル８２０を参照し、現在の時刻が通知時刻か否かの判定を行う。現在の時刻が通知時刻の場合、タイマー登録データテーブル８２０に登録されている、データ番号８２１を用いて受信側メッセージ８１０のデータ番号８１１と一致するデータを検索する。検索が終了しデータを特定すると、タイマー登録データテーブル８２０に登録されている該当データを削除し着信通知を行う。
受信手順は、図１５に示すように相手端末１５１０側の受信部１５１１に通信網１５３０からのアクセスがあると制御部１５１２が音声メッセージ記憶部１５１４にデータを保存し着信表示部１５１３へ着信通知を行う。
【００３１】
次に、本発明の実施の形態３であるタイマー機能を用いた音声メッセージ通知システムにおける音声メッセージ通知の手順について説明する。
図１４は、音声メッセージ作成、タイマー登録、着信通知までの処理を示すシーケンス図である。
説明は、図１４を用いて、受信側が会議で電話に出ることができる時刻が限られており、かつ送信側も受信側が電話に出ることができる時刻に会議があり、電話を掛けることができないという想定で行う。
図１４のシーケンス図は、ユーザが音声メッセージの作成を開始する場面からの動作を示している。自端末ユーザは、相手端末ユーザに伝言があるが、相手端末ユーザが１０：００まで会議のため電話を掛けることができない。自端末ユーザは、９：３０から１１：００まで会議のため、相手端末ユーザが電話をすることができる状態になっても電話することができない。そこで、音声メッセージを作成し、指定時刻に相手に通知を行う本システムを利用する。
【００３２】
自端末１４００ユーザは、会議が始まる前に音声メッセージ作成を行う。音声メッセージ作成は、図５を用いて説明を行う。自端末５００が有する表示画面に音声メッセージの登録を行う音声メッセージ登録画面５０１が表示され、画面の操作を行うユーザインタフェース５０２を用いて通知時刻設定５０３、メッセージ録音を行う。メッセージ録音表示５０４は、録音可能時間全体を表しており、録音バー５０５が現在の録音時間を表示している。録音ボタン５０６を押すと、音声メッセージの録音を開始し、完了ボタン５０９を押すと録音が完了し、音声メッセージの登録が完了する。一時停止ボタン５０７を押すと、録音が一時中断し録音ボタン５０６を押すと、録音が再開される。中止ボタン５０８を押すと、録音中であれば録音を中断し録音メッセージの削除を行って音声メッセージ登録を終了する。
【００３３】
音声メッセージ作成が終わると、自端末１４００ユーザは、会議が始まる前の９：００に送信部１４０２からサーバ１４２０に発信を行う。サーバ１４２０に送信するデータ構造は図８（ａ）に示す構造となり、送信データ８００は、１件の送信データを示す。８０１は自端末の電話番号を、８０２は相手端末の電話番号を、８０３は相手端末で着信通知を行う通知時刻を、８０４は通知するメッセージを、８０５はメッセージのサイズを示す。
自端末１４００より送信されたデータは、サーバ１４２０の送受信部１５２１によりサーバ１４２０に受信される。サーバの送受信部１５２１は、自端末１４００ユーザの会議が始まる前の９：００に音声メッセージを受け取り、音声メッセージの保存を行う。タイマー登録部１４２１が、通知時刻、データ番号を受け取ると、図８（ｃ）に示すタイマー登録データテーブル８２０へ登録を行う。タイマー登録データテーブル８２０への登録は図８（ｃ）の構造で行われ、登録データ８２０は複数の通知時刻８２２とデータ番号８２１の組で構成されている。その後、相手端末１４１０ユーザの会議が終わる通知時刻の１０：００まで発信待ちを行う。音声メッセージ通知時刻の１０：００になると発信を行い、送受信部１５２１を介して送信データを相手端末１４１０へ送信する。
相手端末１４１０の受信部１４１１に着信すると、音声メッセージ記憶部１５１４に送信データが保存され着信表示部１４１２に音声メッセージの着信があることが通知される。
【産業上の利用可能性】
【００３４】
本発明にかかる音声メッセージ通知システムは、音声メッセージに通知時刻を有し、相手端末ユーザの都合の良い時刻に音声メッセージを送付する手段として有用である。
【図面の簡単な説明】
【００３５】
【図１】本発明の実施の形態１におけるタイマー機能を用いた音声メッセージ通知システムのシーケンス図
【図２】本発明の実施の形態１におけるタイマー機能を用いた音声メッセージ通知システムのブロック図
【図３】本発明の実施の形態１におけるタイマー機能を用いた音声メッセージ通知システムで利用される受信処理のフローチャート
【図４】本発明の実施の形態１におけるタイマー機能を用いた音声メッセージ通知システムで利用される通知時刻判定のフローチャート
【図５】本発明の実施の形態１におけるタイマー機能を用いた音声メッセージ通知システムで利用される音声メッセージ通知時刻作成の画面図
【図６】本発明の実施の形態１におけるタイマー機能を用いた音声メッセージ通知システムで利用される音声メッセージ着信前後の画面図
【図７】本発明の実施の形態１におけるタイマー機能を用いた音声メッセージ通知システムで利用される音声メッセージ受信一覧の画面図
【図８】本発明の実施の形態におけるタイマー機能を用いた音声メッセージ通知システムで利用されるデータ構成図
【図９】本発明の実施の形態２におけるタイマー機能を用いた音声メッセージ通知システムのシーケンス図
【図１０】本発明の実施の形態２におけるタイマー機能を用いた音声メッセージ通知システムのブロック図
【図１１】本発明の実施の形態２におけるタイマー機能を用いた音声メッセージ通知システムで利用される送信処理のフローチャート
【図１２】本発明の実施の形態２におけるタイマー機能を用いた音声メッセージ通知システムで利用される音声メッセージ送信前後の画面図
【図１３】本発明の実施の形態２におけるタイマー機能を用いた音声メッセージ通知システムで利用されるデータ構成図
【図１４】本発明の実施の形態３におけるタイマー機能を用いた音声メッセージ通知システムのシーケンス図
【図１５】本発明の実施の形態３におけるタイマー機能を用いた音声メッセージ通知システムのブロック図
【図１６】本発明の実施の形態３におけるタイマー機能を用いた音声メッセージ通知システムで利用される送信処理のフローチャート
【符号の説明】
【００３６】
１００  自端末
１０１  自端末：音声メッセージ作成部
１０２  自端末：送信部
１１０  相手端末
１１１  相手端末：受信部
１１２  相手端末：タイマー登録部
１１３  相手端末：着信表示部
２００  自端末
２０１  自端末：音声メッセージ作成部
２０２  自端末：音声メッセージ記憶部
２０３  自端末：送信データ生成部
２０４  自端末：制御部
２０５  自端末：送信部
２１０  相手端末
２１１  相手端末：受信部
２１２  相手端末：制御部
２１３  相手端末：着信表示部
２１４  相手端末：音声メッセージ記憶部
２１５  相手端末：タイマー登録部
２２０  通信網
３００  データ受信処理開始状態
３０１  音声メッセージ保存処理
３０２  音声メッセージ判定処理
３０３  着信通知処理
３０４  タイマー登録処理
３０５  データ受信処理終了状態
４００  通知時刻判定開始状態
４０１  タイマー登録データ参照処理
４０２  通知時刻判定処理
４０３  タイマー登録データ削除処理
４０４  通知処理
４０５  通知時刻判定終了状態
５００  自端末
５０１  音声メッセージ登録画面
５０２  ユーザインタフェース
５０３  通知時刻設定項目
５０４  録音表示
５０５  録音バー
５０６  録音ボタン
５０７  一時停止ボタン
５０８  中止ボタン
５０９  完了ボタン
６００  相手端末表示画面
６１０  相手端末
６１１  相手端末：表示画面
６１２  着信通知メッセージ
７００  相手端末
７０１  相手端末：表示画面
７０２  ユーザインタフェース
７０３  音声メッセージ受信一覧
７０４  通知時刻指定がある音声メッセージ
７０５  通知時刻指定があり表示
７０６  再生ボタン
７０７  中止ボタン
８００  送信データ
８０１  送信データ：自端末電話番号
８０２  送信データ：相手端末電話番号
８０３  送信データ：通知時刻
８０４  送信データ：メッセージ
８０５  送信データ：メッセージサイズ
８０６  送信データ：通知間隔
８０７  送信データ：通知回数
８１０  受信側メッセージ
８１１  受信側メッセージ：データ番号
８１２  受信側メッセージ：受信時刻
８１３  受信側メッセージ：自端末電話番号
８１４  受信側メッセージ：通知時刻
８１５  受信側メッセージ：メッセージ
８１６  受信側メッセージ：メッセージサイズ
８１７  受信側メッセージ：通知間隔
８１８  受信側メッセージ：通知回数
８２０  タイマー登録データテーブル
８２１  タイマー登録データテーブル：データ番号
８２２  タイマー登録データテーブル：通知時刻
９００  自端末
９０１  自端末：音声メッセージ作成部
９０２  自端末：タイマー登録部
９０３  自端末：送信部
９１０  相手端末
９１１  相手端末：受信部
９１２  相手端末：着信表示部
１０００  自端末
１００１  自端末：音声メッセージ作成部
１００２  自端末：音声メッセージ記憶部
１００３  自端末：送信データ生成部
１００４  自端末：制御部
１００５  自端末：タイマー登録部
１００６  自端末：送信部
１０１０  相手端末
１０１１  相手端末：受信部
１０１２  相手端末：制御部
１０１３  相手端末：着信表示部
１０１４  相手端末：音声メッセージ記憶部
１０２０  通信網
１１００  データ送信処理開始状態
１１０１  音声メッセージ作成処理
１１０２  音声メッセージ保存処理
１１０３  音声メッセージ判定処理
１１０４  タイマー登録処理
１１０５  発信処理
１１０６  データ送信処理終了状態
１２１０  送信通知メッセージ
１３００  自端末側メッセージ
１３０１  自端末側メッセージ：データ番号
１３０２  自端末側メッセージ：自端末電話番号
１３０３  自端末側メッセージ：相手端末電話番号
１３０４  自端末側メッセージ：通知時刻
１３０５  自端末側メッセージ：メッセージ
１３０６  自端末側メッセージ：メッセージサイズ
１４００  自端末
１４０１  自端末：音声メッセージ作成部
１４０２  自端末：送信部
１４１０  相手端末
１４１１  相手端末：受信部
１４１２  相手端末：着信表示部
１４２０  サーバ
１４２１  サーバ：タイマー登録部
１５００  自端末
１５０１  自端末：音声メッセージ作成部
１５０２  自端末：音声メッセージ記憶部
１５０３  自端末：送信データ生成部
１５０４  自端末：制御部
１５０５  自端末：送信部
１５１０  相手端末
１５１１  相手端末：受信部
１５１２  相手端末：制御部
１５１３  相手端末：着信表示部
１５１４  相手端末：音声メッセージ記憶部
１５２０  サーバ
１５２１  サーバ：送受信部
１５２２  サーバ：制御部
１５２３  サーバ：タイマー登録部
１５２４  サーバ：音声メッセージ記憶部
１５３０  通信網
１６００  データ送信処理開始状態
１６０１  音声メッセージ作成処理
１６０２  音声メッセージ保存処理
１６０３  音声メッセージ判定処理
１６０４  サーバ送信処理
１６０５  発信処理
１６０６  データ送信処理終了状態
【図１】
2006295752.tif 000003
【図２】
2006295752.tif 000004
【図３】
2006295752.tif 000005
【図４】
2006295752.tif 000006
【図５】
2006295752.tif 000007
【図６】
2006295752.tif 000008
【図７】
2006295752.tif 000009
【図８】
2006295752.tif 000010
【図９】
2006295752.tif 000011
【図１０】
2006295752.tif 000012
【図１１】
2006295752.tif 000013
【図１２】
2006295752.tif 000014
【図１３】
2006295752.tif 000015
【図１４】
2006295752.tif 000016
【図１５】
2006295752.tif 000017
【図１６】
2006295752.tif 000018